(57)【要約】【課題】軽量でかつ歩行性や衝撃吸収性が良く、歩行による足の疲れが少ない靴底構造の提供。【解決手段】爪先領域２０Ａ、土踏まず領域２０Ｂ及び踵領域２０Ｃからなる接地側面２０を有し、樹脂発泡体からなる靴底本体１０と、爪先領域２０Ａに設けた第１の防滑部１１と、踵領域２０Ｃに設けた第２の防滑部１２とを備え、第１、第２の防滑部１１、１２はゴム材からなり、第１の防滑部１１は爪先領域２０Ａの表面に設けた板状の基台部２６と、基台部２６の表面に設けられ、基台部２６とほぼ同じ平面視形状を有しかつ基台部２６よりも小寸である第１の凸部２７とからなる第１の防滑構造１４を含み、土踏まず領域２０Ｂは爪先領域２０Ａおよび踵領域２０Ｃよりも接地方向に突出し、第１、第２の防滑部１１、１２の各表面１１ａ、１１ｂ及び土踏まず領域２０Ｂの表面２０ｂがほぼ一体となって接地面１３となることを特徴とする、靴底構造１。【選択図】  図１
2018121836.tif 000002
【特許請求の範囲】
【請求項１】
爪先領域、それに連設された土踏まず領域、及びそれに連設された踵領域からなる接地側面を有し、樹脂発泡体からなる靴底本体と、前記爪先領域に設けられた第１の防滑部と、前記踵領域に設けられた第２の防滑部と、を備える靴底構造であって、
前記第１、第２の防滑部はゴム材からなり、
前記第１の防滑部は、前記爪先領域の表面に設けられた板状の基台部と、前記基台部の表面に設けられ、前記基台部とほぼ同じ平面視形状を有し、かつ前記基台部よりも小寸である第１の凸部と、からなる第１の防滑構造を含み、
前記土踏まず領域は前記爪先領域および前記踵領域よりも接地方向に突出し、前記第１、第２の防滑部の各表面、及び前記土踏まず領域の表面がほぼ一体となって接地面となることを特徴とする、靴底構造。
【請求項２】
前記第１の凸部の表面にさらに微小凸部を設けた、請求項１に記載の靴底構造。
【請求項３】
前記樹脂発泡体が、エチレン酢酸ビニル共重合体の独立気泡発泡体である、請求項１又は２に記載の靴底構造。
【請求項４】
前記第２の防滑部は、その表面に、前記靴底本体の幅方向に延びる断面視ほぼ三角形状の凸状部が複数連設された第２の防滑構造を有する、請求項１〜３のいずれか１項記載の靴底構造。
【請求項５】
前記爪先領域に複数の前記第１の防滑部が設けられ、一の前記第１の防滑部と他の前記第１の防滑部とを離隔する第１の溝部をさらに有する、請求項１〜４のいずれか１項に記載の靴底構造。
【請求項６】
前記踵領域に複数の前記第２の防滑部が設けられ、一の前記第２の防滑部と他の前記第２の防滑部とを離隔する第２の溝部をさらに有する、請求項１〜５のいずれか１項に記載の靴底構造。
【請求項７】
前記土踏まず領域の表面が、前記靴底本体長手方向及び／又は幅方向に延びる第３の溝部により、複数に分割されている、請求項１〜６のいずれか１項に記載の靴底構造。
【請求項８】
前記ゴム材が、天然ゴム、イソプレンゴム、ブタジエンゴム、スチレン−ブタジエンゴム、アクリロニトリル−ブタジエンゴム、クロロプレンゴム、及びブチルゴムよりなる群から選ばれた少なくとも１種である、請求項１〜７のいずれか１項に記載の靴底構造。
【発明の詳細な説明】
【技術分野】
【０００１】
本発明は、靴底構造に関する。
【０００２】
靴底を構成する材料としては、合成樹脂やゴムなどの高分子材料や、革材料が主流となっている。特に、高分子材料からなる靴底構造は、歩行性、耐久性、防滑性や雨天時の防水性などの点で革底よりも優れ、比較的軽量かつ安価であるだけでなく、ビジネスユースからパーソナルユースまでの幅広い靴に適用できることから、広く利用されている。そして、さらなる軽量化を目指して、樹脂発泡体を靴底の材料として用いることも周知である。
【０００３】
特許文献１は、やや肉厚の踵支持部を有する中底部材に接地外底部材が層設された靴底構造において、中底部材がエチレン酢酸ビニル共重合体又はポリウレタンの発泡体からなり、接地外底部材が天然ゴムやその他の合成ゴムからなる靴底構造を提案する。特許文献１に記載の靴底構造では、樹脂発泡体からなる中底部材は、靴全体としての軽量化に寄与する。しかし、接地面全体が滑りにくいゴムからなる接地外底部材で覆われていることから、セラミックスタイルや大理石タイルなどが施工された床面などに対しては摩擦力が強くなりすぎて、つまづきなどを起こしやすく、歩行性の点で難がある。
【０００４】
また、特許文献１に記載の靴底構造には、比較的柔らかく、衝撃吸収性の良い樹脂発泡体を中底部材として用いているが、中底部材の全面にゴム材からなる接地外底部材が層設されているため、樹脂発泡体の柔らかさや衝撃吸収性が弱められてしまうという問題もある。
【０００５】
特許文献２は、中底部材に接地外底部材が層設された靴底構造において、接地外底部材が、爪先領域の先端側を覆う爪先用外底部材と、爪先領域における地面を踏み付ける領域を覆う踏み付け用外底部材と、土踏まず領域及び踵領域を覆う本体外底部材という３部材に分割され、爪先用外底部材と踏み付け用外底部材との間及び踏み付け用外底部材と本体外底部材との間には所定幅の溝部が設けられた靴底構造を提案する。しかしながら、この靴底構造では、接地外底部材が上記のように３分割されているものの、３部材が全てゴム材から構成されているため、セラミックスタイルや大理石タイルなどが施工された床面などを歩行する際に発生する、つまずきなどを十分に防止するには至っていない。
【先行技術文献】
【特許文献】
【０００６】
【特許文献１】特開２００１−７０００６号公報
【特許文献２】特開２００１−５７９０１号公報
【発明の概要】
【発明が解決しようとする課題】
【０００７】
本発明の目的は、軽量でかつ歩行性や衝撃吸収性が良く、歩行による足の疲れが少ない靴底構造を提供することである。
【課題を解決するための手段】
【０００８】
本発明者は、上記課題を解決するために鋭意研究を重ねた結果、従来技術のように靴底本体（中底部材）に樹脂発泡体を用い、かつ接地外底部材にゴム材を用いた場合でも、軽量でかつ歩行性や衝撃吸収性が良く、歩行による足の疲れが少ない所望の靴底構造が得られることを見出し、本発明を完成するに至った。
【０００９】
本発明は、下記（１）〜（８）の靴底構造を提供する。
（１）爪先領域、それに連設された土踏まず領域、及びそれに連設された踵領域からなる接地側面を有し、樹脂発泡体からなる靴底本体と、爪先領域に設けられた第１の防滑部と、踵領域に設けられた第２の防滑部と、を備える靴底構造であって、第１、第２の防滑部はゴム材からなり、第１の防滑部は、爪先領域の表面に設けられた板状の基台部と、基台部の表面に設けられ、基台部とほぼ同じ平面視形状を有しかつ基台部よりも小寸である第１の凸部とからなる第１の防滑構造を含み、土踏まず領域は爪先領域および踵領域よりも接地方向に突出し、第１、第２の防滑部の各表面、及び土踏まず領域の表面がほぼ一体となって接地面となることを特徴とする、靴底構造。
（２）第１の凸部の表面にさらに微小凸部を設けた、上記（１）の靴底構造。
（３）合成樹脂の独立気泡発泡体が、エチレン酢酸ビニル共重合体の独立気泡発泡体である、上記（１）又は（２）の靴底構造。
（４）第２の防滑部は、その表面に、靴底本体の幅方向に延びる断面視ほぼ三角形状の凸状部が複数連設された第２の防滑構造を有する、上記（１）〜（３）のいずれかの靴底構造。
（５）爪先領域に複数の第１の防滑部が設けられ、一の第１の防滑部と他の第１の防滑部とを離隔する第１の溝部をさらに有する、上記（１）〜（４）のいずれかの靴底構造。
（６）踵領域に複数の第２の防滑部が設けられ、一の第２の防滑部と他の第２の防滑部とを離隔する第２の溝部をさらに有する、上記（１）〜（５）のいずれかの靴底構造。
（７）土踏まず領域の表面が、靴底本体長手方向及び／又は幅方向に延びる第３の溝部により、複数に分割されている、上記（１）〜（６）のいずれかの靴底構造。
（８）ゴム材が、天然ゴム、イソプレンゴム、ブタジエンゴム、スチレン−ブタジエンゴム、アクリロニトリル−ブタジエンゴム、クロロプレンゴム、及びブチルゴムよりなる群から選ばれた少なくとも１種である、上記（１）〜（７）のいずれかの靴底構造。
【００１０】
上記（１）の靴底構造によれば、比較的軽量な樹脂発泡体からなる靴底本体の接地側面を爪先領域、土踏まず領域及び踵領域に分け、土踏まず領域の全体を爪先領域及び踵領域よりも接地側に突出させて直接地面に接地するように構成することにより、樹脂発泡体の衝撃吸収性が生かされ易くなる。また、土踏まず領域を挟む爪先領域及び踵領域にゴム材からなる第１、第２の防滑部を設け、かつ第１の防滑部を上記所定の防滑構造とし、靴底構造全体としての接地面を所定の防滑構造を有するゴム材（第１の防滑部）と樹脂発泡体（土踏まず領域）とゴム材（第２の防滑部）とから構成することにより、歩行時にゴム材に加わる衝撃を面方向の樹脂発泡体に分散させることが可能になり、さらにセラミックスタイルや大理石タイルなどの、ゴム材との摩擦力が大きくなり易いタイルなどが施工された床面に対しても、発生する摩擦力が低減され、つまずきなどの発生を顕著に抑制することができ、ゴム材からなる接地外底部材の問題を解消できる。したがって、上記（１）の靴底構造によれば、靴底本体に用いた樹脂発泡体の軽量性を生かしつつ、歩行性、衝撃吸収性が良好で、足に加わる衝撃力が小さくなり、長時間の歩行でも足の疲れを防ぐことができる。
【００１１】
上記（２）の靴底構造によれば、第１の凸部の表面にさらに微小凸部を設けることにより、良好な歩行性を保持したまま、歩行面（地面や床面）に対するグリップ性を向上させることができる。
【００１２】
上記（３）の靴底構造によれば、靴底本体を構成する樹脂発泡体として、エチレン酢酸ビニル共重合体の独立気泡発泡体（以下「ＥＶＡ発泡体」と呼ぶことがある）を用いることにより、ＥＶＡ発泡体がゴムに近い性状を示すことから、良好な歩行性、衝撃吸収性などの損なうことなく、靴底全体としての一体的な履き心地を実現できる。
【００１３】
上記（４）の靴底構造によれば、第２の防滑部の表面に、靴底本体の幅方向に延びる断面視ほぼ三角形状の凸状部が複数連設された第２の防滑構造を設けることにより、良好な歩行性を保持したまま、歩行面（地面や床面）に対するグリップ性を一層向上させることができる。
【００１４】
上記（５）及び上記（６）の靴底構造によれば、爪先領域（踵領域）に設けられる第１の防滑部（第２の防滑部）を第１の溝部（第２の溝部）により互いに離隔する複数の部材に分割することにより、一つ一つの第１の防滑部（第２の防滑部）に加わる歩行時の応力、圧力又は反発力を分散かつ軽減できるので、歩行時に足に加わる衝撃力を分散して低減できるともに、つまずきを伴わないグリップ性を高め、さらに第１の防滑部（第２の防滑部）自体の耐久力を高めることができる。上記（７）の靴底構造でも、同様の効果が得られる。
【００１５】
上記（８）の靴底構造によれば、第１、第２の防滑部を構成するゴム材として、天然ゴム、イソプレンゴム、ブタジエンゴム、スチレン−ブタジエンゴム、アクリロニトリル−ブタジエンゴム、クロロプレンゴム、及びブチルゴムよりなる群から選ばれた少なくとも１種を用いることにより、本発明の所望の効果を得ることができる。
【発明の効果】
【００１６】
本発明の靴底構造は、軽量でかつ歩行性や衝撃吸収性が良く、歩行による足の疲れが少ないものである。
【図面の簡単な説明】
【００１７】
【図１】本発明の一実施形態の靴底構造の構成を模式的に示す平面図である。
【図２】本発明の靴底構造を備える靴の外観斜視図である。
【図３】本発明の他の実施形態の靴底構造の構成を模式式に示す平面図である。
【発明を実施するための形態】
【００１８】
図１は、本発明の一実施形態の靴底構造１の構成を模式的に示す平面図である。図２は、図１に示す靴底構造１を靴底として備える靴１００の外観斜視図である。なお、図１は左足用の靴底構造１を示すものであり、右足用の靴底構造は左足用の靴底構造１とは左右対称形に構成される。
本実施形態の靴底構造１は、本体１０と、第１の防滑部１１と、第２の防滑部１２と、を備える。
【００１９】
靴底本体１０は接地側面（接地側の面）２０を有し、接地側面２０は、主に足の爪先部分及び指の付け根部分に対応する爪先領域２０Ａと、爪先領域２０Ａに連設され、土踏まずの部分に対応する土踏まず領域２０Ｂと、土踏まず領域２０Ｂに連設され、踵部分に対応する踵領域２０Ｃとが一体となった面である。
【００２０】
本実施形態では、接地側面２０において、土踏まず領域２０Ｂは、その全体が爪先領域２０Ａおよび踵領域２０Ｃよりも接地側に突出するように構成され、後述する第１、第２の防滑部１１、１２をそれぞれ爪先領域２０Ａおよび踵領域２０Ｃに設けた場合に、第１の防滑部１１の接地側面１１ａ、土踏まず領域２０Ｂの接地側面２０ｂおよび第２の防滑部１２の接地側面１２ａが連続して一体化した接地面１３を形成する。すなわち、靴底構造１の長手方向において、樹脂発泡体からなる表面（接地側面２０ｂ）が、ゴム材からなる表面（接地側面１１ａ、１２ａ）により挟まれた接地面１３が構成される。
【００２１】
このような接地面１３を設けることにより、ゴム材からなる第１、第２の防滑部１１、１２に対して加わる衝撃力が面方向の樹脂発泡体に向けて分散し易くなるので、足に加わる衝撃力が分散して軽減される。また、セラミックタイルや大理石タイルなどが施工され、ゴム材に対する摩擦力の高い床面を歩行しても、つまずきなどを起こしにくく、歩行性に優れ、また、樹脂発泡体からなる接地側面２０ｂがゴム材で覆われることなく、接地面１３の一部として露出していることから、樹脂発泡体が持つ衝撃吸収性を十分に発揮できる靴底構造１となる。
【００２２】
なお、本実施形態では、爪先領域２０Ａおよび踵領域２０Ｃよりも接地側に突出する土踏まず領域２０Ｂを設けたが、これに限定されず、例えば、靴底本体１０の接地側面２０を連続した一つの面とし、土踏まず領域２０Ｂに樹脂発泡体からなる板状部材を設けるように構成しても、本発明の効果を得ることができる。
【００２３】
靴底本体１０を樹脂発泡体で構成することにより、靴底構造１を軽量化できる。樹脂発泡体としては特に限定されないが、耐衝撃吸収性（特に面方向からの衝撃の吸収性）、耐久性などの観点から、独立気泡を有する樹脂発泡体（フォーム）を好ましく使用でき、エチレン酢酸ビニル共重合体フォーム、ポリエチレンフォーム、ポリプロピレンフォームなどをより好ましく使用できる。これらの中でも。エチレン酢酸ビニル共重合体フォームが好ましい。該フォームは、ゴム材の性状に近い性状、特に低温下でもゴム材に似た性状を示すことから、靴底構造１としての一体感が得られ、靴底構造１を有する靴１００の履き心地を高めることができる。
【００２４】
本実施形態の靴底構造１において、第１の防滑部１１はゴム材からなり、靴底本体１０の爪先領域２０Ａに設けられる。本実施形態では、複数の第１の防滑部１１が設けられ、隣り合う一の第１の防滑部１１と他の第１の防滑部１１との間には、これらを離隔する第１の溝部２１が設けられている。爪先領域２０Ａに複数の第１の防滑部１１を設けることにより、グリップ性を高めながら、歩行時に足に加わる応力、圧力又は歩行面からの反発力などを一つ一つの第１の防滑部１１に分散させて緩和することにより、足にかかる負担を減少させることができる。また、第１の防滑部１１の耐久性を長期間にわたって維持することができる。
【００２５】
本実施形態の靴底構造１では、より具体的には、爪先領域２０Ａには、５つの第１の防滑部１１Ａ、１１Ｂ、１１Ｃ、１１Ｄ、１１Ｅが設けられ、靴底構造１の長さ方向（以下単に「縦方向」という）及び靴底構造１の幅方向（以下単に「横方向」という）に延びる複数の第１の溝部２１により互いに離隔している。
【００２６】
第１の防滑部１１Ａは、第１領域２２、第２領域２３及び第３領域２４からなり、第１領域は爪先の先端部分に相当する領域であり、横方向に延びかつ縦方向に平行な平面視ほぼ長方形状の複数の横長凸部２５が形成され、第２、第３領域２３、２４は第１領域２２から互いに離隔しながら踵方向に垂下している。第２、第３領域２３、２４には、板状でありかつ平面視ほぼ方形（正方形又は長方形）状の基台部２６と、基台部２６の表面に設けられ、基台部２６とほほ同じ平面視形状を有しかつ基台部２６よりも寸法が小さい第１の凸部２７とからなる第１の防滑構造１４が設けられている。第１の防滑構造１４の個数は、第２、第３領域２３、２４の寸法及び形状に応じて適宜選択でき、本実施形態では、第２、第３領域２３、２４にそれぞれ２個ずつである。なお、第１の凸部２７の個数も、基台部２６の寸法に応じて適宜変更でき、単数でも複数でも良い。
【００２７】
第１の防滑部１１Ｂは、第１の防滑部１１Ａの第２領域２３を介して対向し、横方向に延びるように設けられ、第１の防滑構造１４を横方向に３個ずつ、縦方向に２段で計６個有している。第１の防滑部１１Ｃ、１１Ｄ、１１Ｅはそれぞれ第１の防滑部１１Ｂ、第１の防滑部１１Ａの第２領域２３及び第１の防滑部１１Ａの第３領域２４の縦方踵側に横方向又は縦方向に延びるように配置され、第１の防滑部１１Ｃは第１の防滑部１１Ｂと同様に、横方向に３個ずつ、縦方向に２段で計６個の第１の防滑構造１４を有している。第１の防滑部１１Ｄ、１１Ｃは縦方向に延び、横１個、縦２個で計２個の第１の防滑構造１４を有している。本実施形態では第１の防滑部１１は複数に分割されているが、これに限定されず、一体化して一つの部材とし、これに複数の第１の防滑構造１４を設けてもよい。
【００２８】
第１の防滑部１１Ａ〜１１Ｅは、爪先領域２０Ａに接着してもよく、また、二色成形により靴底本体１０と一体的に成形してもよい。接着方法としては特に限定されず、接着剤を用いる方法、熱融着などが挙げられる。このように、靴底構造１の接地面１３を前述の構造とし、かつ爪先領域２０Ａに複数の第１の防滑構造１４を設けることにより、グリップ性を低下させることなく、歩行面（地面、路面、床面など）との摩擦係数が大きく増大してつまずきなどが起こるのを顕著に抑制し、歩行性を高めることができる。
【００２９】
第１の防滑部１１を構成するゴム材としては各種ゴム材を限定なく使用でき、例えば、
天然ゴム、イソプレンゴム、ブタジエンゴム、スチレン−ブタジエンゴム、アクリロニトリル−ブタジエンゴム、クロロプレンゴム、ブチルゴムなどが挙げられる。ゴム材は、１種を単独で又は２種以上を組み合わせて使用できる。
【００３０】
本実施形態の靴底構造１では、靴底本体１０の踵領域２０Ｃにゴム材からなる第２の防滑部１２が設けられている。第２の防滑部１２を設けることにより、例えば、靴底構造１のグリップ性などを一層高めることができる。具体的には、踵領域２０Ｃには、４個の第２の防滑部１２Ａ、１２Ｂ、１２Ｃ、１２Ｄが、縦２個、横２個配置されている。縦方向の土踏まず領域２０Ｂ側に位置する平面視ほぼ方形状の第２の防滑部１２Ａ、１２Ｂ、及び踵領域２０Ｃの末端側に位置し、平面視ほぼ１／４円状の第２の防滑部１２Ｃ、１２Ｄは、それぞれ、縦方向に延びる第２の溝部２８により横方向に離隔し、また、第２の防滑部１２Ａ、１２Ｂと第２の防滑部１２Ｃ、１２Ｄとは、横方向に延びる第２の溝部２８により縦方向に離隔している。また、第２の防滑部１２Ａ、１２Ｂ、１２Ｃ、１２Ｄの表面には、横方向に延びる断面視ほぼ三角形状の凸状部２９が縦方向に複数連設された第２の防滑構造３０が設けられている。
【００３１】
このように複数の第２の防滑部１２を設けることにより、一つ一つの第２の防滑部１２に加わる歩行時の応力、圧力又は反発力を分散かつ軽減できるので、歩行時に足に加わる衝撃力を分散して低減できるともに、グリップ性を高め、第２の防滑部１２自体の耐久力を高めることができる。
【００３２】
なお、本実施形態では前述のように第２の防滑構造３０を有する第２の防滑部１２を設けているがこれに限定されず、平坦なゴム層からなる第２の防滑部１２を設けてもよい。また、本実施形態では、複数の第２の防滑部１２を設けているが、これに限定されず、一体化した一つの第２の防滑部１２を設けてもよい。また、第２の防滑部１２は、接着剤を用いたり、また熱融着を利用して踵領域２０Ｃに取り付けることができ、また、２色成形などにより靴底本体１０と一体成形できる。また、第２の防滑部１２を構成するゴム材としては、第１の防滑部１１を構成するのと同じゴム材を用いることができる。
【００３３】
本実施形態では、土踏まず領域２０Ｂに形成された樹脂発泡体の接地側面２０ｂには、横方向及び縦方向にほぼ平行に延びる第３の溝部３１が形成され、接地側面２０ｂが４つの領域に分割されている。これにより、靴底構造１のグリップ性などをさらに向上させることができる。また、本実施形態では、図１に示すように、爪先領域２０Ａに形成された縦方向に延びる第１の溝部２１、土踏まず領域２０Ｂに形成された縦方向に延びる第２の溝部２８及び踵領域２０Ｃに形成された縦方向に延びる第３の溝部３１を線状に連結し、爪先の先端から踵の末端まで繋がる線状（直線だけでなく曲線を含んでいてもよい線状）の溝部を形成してもよい。
【００３４】
また、本実施形態では、土踏まず領域２０Ｂの接地側面２０ｂを、第１、第２の防滑部１１、１２の接地側面１１ａ、１２ａよりもわずかに凹むように設けてもよい、そのように構成しても、接地側面１１ａ、２０ｂ、１１ｂが一体となって接地面１３として機能し、防滑性能、衝撃吸収性能、歩行性の向上効果などが十分に発揮されるだけでなく、接地側面２０ｂを構成する樹脂発泡体の歩行による減り、劣化が少なくなり、樹脂発泡体による衝撃吸収効果や歩行性向上効果が長期間にわたって十分に発揮され、本実施形態の靴底構造１を靴本体に貼り付けた又は接合した又は縫い付けた靴の耐久性が向上し、長く履くことができるものとなる。
【００３５】
本実施形態の靴底構造１は、ビジネスユースからパーソナルユース全般の靴に適用可能であるが、特に、スニーカー、ウォーキングシューズ、トレッキングシューズ、登山靴、各種スポーツ用シューズなどの、大きな動きを伴うシューズ類に好適に適用できる。また、本実施形態の靴底構造１を足を入れる靴本体（図示せず）に取り付ける際には、従来から公知の方法をいずれも採用できる。また、靴底構造１と靴本体との接合境界部分の一部又は全部には、例えば該接合境界部分を覆うように、ゴム材などからなる補強層及び／又は防水層を設けてもよい。例えば、爪先の先端の境界部分にゴム層を形成することにより、歩行性をさらに改良することができる。
【００３６】
図２は、本発明の第２実施形態の靴底構造２の構成を模式的に示す平面図である。靴底構造２は靴底構造１に類似し、共通する部材には同じ参照符号を付し、説明を省略する。靴底構造２は、第１の防滑部１１に設けられた防滑構造１４において、第１の凸部２７の表面に第１の凸部２７よりも縦横高さ寸法の小さい微小凸部３２をさらに有していることを特徴とする。微小凸部３２は、靴底構造２の歩行性、衝撃吸収性、軽量性などの好ましい特性を損なうことなく、靴底構造２の歩行面に対するグリップ性などをより一層向上させることができる。
【符号の説明】
【００３７】
１、２  靴底構造
１０  靴底本体
１１、１１Ａ、１１Ｂ、１１Ｃ、１１Ｄ、１１Ｅ  第１の防滑部
１１ａ、１２ａ、２０、２０ｂ  接地側面
１２、１２Ａ、１２Ｂ、１２Ｃ、１２Ｄ  第２の防滑部
１３  接地面
１４  第１の防滑構造
２０Ａ  爪先領域
２０Ｂ  土踏まず領域
２０Ｃ  踵領域
２１  第１の溝部
２２  第１領域
２３  第２領域
２４  第３領域
２５  横長凸部
２６  基台部
２７  第１の凸部
２８  第２の溝部
２９  凸状部
３０  第２の防滑構造
３１  第３の溝部
３２  微小凸部
１００  靴
【図１】
2018121836.tif 000003
【図２】
2018121836.tif 000004
【図３】
2018121836.tif 000005